(57)【特許請求の範囲】
【請求項１】
移動端末との無線通信を行う複数のアンテナ装置と、前記アンテナ装置を制御する複数の無線制御装置と、前記アンテナ装置と前記無線制御装置との間の接続関係を管理する無線管理装置とを備えた移動通信システムにおける無線管理装置であって、
前記無線制御装置それぞれに接続されている前記アンテナ装置を示す接続アンテナ装置リストを記憶している第１のテーブル部と、
前記アンテナ装置ごとに該アンテナ装置が有する通信エリアと隣接する通信エリアを有している他の前記アンテナ装置である隣接アンテナ装置を示す隣接アンテナ装置リストを記憶している第２のテーブル部と、
前記アンテナ装置と前記無線制御装置との接続の切り替えを示す切替信号に応じて、前記接続アンテナ装置リストを更新し、前記無線制御装置ごとの隣接する通信エリアを有している他の前記無線制御装置を示す隣接セルリストを前記切替信号と前記隣接アンテナ装置リストと更新後の接続アンテナ装置リストとに基づいて更新するテーブル更新部と、
を備え、
前記テーブル更新部は、前記切替信号で示される前記アンテナ装置と前記無線制御装置との接続の切り替えを指示する切替指示信号と、前記無線制御装置に記憶されている隣接セルリストを更新後の隣接セルリストに基づいて更新させる更新指示信号とを前記無線制御装置へ送信する、
ことを特徴とする無線管理装置。
【請求項２】
請求項１に記載の無線管理装置であって、
前記テーブル更新部は、
前記接続先を切り替えるアンテナ装置を示す情報を、該アンテナ装置が接続されている前記無線制御装置に対応する接続アンテナ装置リストから削除するとともに、該アンテナ装置を新たに接続する前記無線制御装置に対応する接続アンテナ装置リストに該アンテナ装置を示す情報を追加し、
前記無線制御装置に対応する前記接続アンテナ装置リストに含まれる前記アンテナ装置の隣接アンテナ装置を前記隣接アンテナ装置リストから検出し、検出した隣接アンテナ装置に接続されている他の前記無線制御装置を示す情報を更新後の隣接セルリストにする
ことを特徴とする無線管理装置。
【請求項３】
請求項２に記載の無線管理装置であって、
前記テーブル更新部は、
前記切替信号が示す接続先を切り替える前記アンテナ装置の隣接アンテナ装置を前記隣接アンテナ装置リストから検出し、
前記検出した隣接アンテナ装置に接続している前記無線制御装置を前記接続アンテナ装置リストから検出し、
前記無線制御装置に接続されている前記アンテナ装置の隣接アンテナ装置に接続されている他の前記無線制御装置を示す隣接セルリストを更新する対象に、検出した前記無線制御装置と、前記切替信号が示す接続先を切り替えるアンテナ装置が接続されている前記無線制御装置と、該アンテナ装置を新たに接続する前記無線制御装置とを選択する
ことを特徴とする無線管理装置。
【請求項４】
請求項３に記載の無線管理装置であって、
前記テーブル更新部は、更に、
前記隣接セルリストを更新した後に、前記更新した隣接セルリストを、前記更新対象に選択した無線制御装置に送信する
ことを特徴とする無線管理装置。
【請求項５】
請求項１に記載の無線管理装置であって、
前記テーブル更新部は、更に、
前記切替信号が示す接続先を切り替える前記アンテナ装置の隣接アンテナ装置を前記隣接アンテナ装置リストから検出し、
前記検出した隣接アンテナ装置に接続している前記無線制御装置を前記接続アンテナ装置リストから検出し、
前記検出した無線制御装置のうち、前記切替信号が示す接続先を切り替えるアンテナ装置が接続されている前記無線制御装置と、該アンテナ装置を新たに接続する前記無線制御装置とを除いた無線制御装置に、接続先を切り替える前記アンテナ装置と、該アンテナ装置の切り替え先の前記無線制御装置とを示す更新指示信号を送信する
ことを特徴とする無線管理装置。
【請求項６】
請求項１に記載の無線管理装置であって、
前記テーブル更新部は、更に、
前記切替信号が示す接続先を切り替えるアンテナ装置に対応する隣接アンテナ装置リストと、該隣接アンテナ装置リストに含まれるアンテナ装置に接続されている前記無線制御装置とを示す情報とを含む切替指示信号を、前記アンテナ装置の切り替え元及び切り替え先の前記無線制御装置に送信する
ことを特徴とする無線管理装置。
【請求項７】
移動端末との無線通信を行う複数アンテナ装置ごとに該アンテナ装置が有する通信エリアと隣接する通信エリアを有している他の前記アンテナ装置である隣接アンテナ装置を示す隣接アンテナ装置リストを記憶している第２のテーブル部と、前記アンテナ装置を制御する複数の無線制御装置それぞれに接続されている前記アンテナ装置を示す接続アンテナ装置リストを記憶している第１のテーブルとを備えている無線管理装置における無線管理方法であって、
前記アンテナ装置と前記無線制御装置との接続の切り替えを示す切替信号に応じて、前記接続アンテナ装置リストを更新し、前記無線制御装置ごとの隣接する通信エリアを有している他の前記無線制御装置を示す隣接セルリストを前記切替信号と前記隣接アンテナ装置リストと更新後の接続アンテナ装置リストとに基づいて更新するテーブル更新ステップと、
前記切替信号で示される前記アンテナ装置と前記無線制御装置との接続の切り替えを指示する切替指示信号と、前記無線制御装置に記憶されている隣接セルリストを更新後の隣接セルリストに基づいて更新させる更新指示信号とを前記無線制御装置へ送信する指示ステップと、
を有することを特徴とする無線管理方法。
【請求項８】
移動端末との無線通信を行う複数アンテナ装置ごとに該アンテナ装置が有する通信エリアと隣接する通信エリアを有している他の前記アンテナ装置である隣接アンテナ装置を示す隣接アンテナ装置リストを記憶している第２のテーブル部と、前記アンテナ装置を制御する複数の無線制御装置それぞれに接続されている前記アンテナ装置を示す接続アンテナ装置リストを記憶している第１のテーブルとを備えている無線管理装置に設けられているコンピュータに、
前記アンテナ装置と前記無線制御装置との接続の切り替えを示す切替信号に応じて、前記接続アンテナ装置リストを更新し、前記無線制御装置ごとの隣接する通信エリアを有している他の前記無線制御装置を示す隣接セルリストを前記切替信号と前記隣接アンテナ装置リストと更新後の接続アンテナ装置リストとに基づいて更新するテーブル更新ステップと、
前記切替信号で示される前記アンテナ装置と前記無線制御装置との接続の切り替えを指示する切替指示信号と、前記無線制御装置に記憶されている隣接セルリストを更新後の隣接セルリストに基づいて更新させる更新指示信号とを前記無線制御装置へ送信する指示ステップと、
を実行させるためのプログラム。
【請求項９】
移動端末との無線通信を行う複数のアンテナ装置と、前記アンテナ装置を制御する複数の無線制御装置と、前記アンテナ装置と前記無線制御装置との間の接続関係を管理する無線管理装置とを備えた移動通信システムであって、
前記無線管理装置は、
前記無線制御装置それぞれに接続されている前記アンテナ装置を示す接続アンテナ装置リストを記憶している第１のテーブル部と、
前記アンテナ装置ごとに該アンテナ装置が有する通信エリアと隣接する通信エリアを有している他の前記アンテナ装置である隣接アンテナ装置を示す隣接アンテナ装置リストを記憶している第２のテーブル部と、
前記アンテナ装置と前記無線制御装置との接続の切り替えを示す切替信号に応じて前記接続アンテナ装置リストを更新し、前記無線制御装置ごとの隣接する通信エリアを有している他の前記無線制御装置を示す隣接セルリストを前記切替信号と前記隣接アンテナ装置リストと更新後の接続アンテナ装置リストとに基づいて更新するテーブル更新部と、
を備え、
前記テーブル更新部は、前記切替信号で示される前記アンテナ装置と前記無線制御装置との接続の切り替えを指示する切替指示信号と、前記無線制御装置に記憶されている隣接セルリストを更新後の隣接セルリストに基づいて更新させる更新指示信号とを前記無線制御装置へ送信する、
ことを特徴とする移動通信システム。
【発明の詳細な説明】
【技術分野】
【０００１】
本発明は、無線管理装置、無線管理方法、プログラム及び移動通信システムに関する。
【背景技術】
【０００２】
第３．９世代の移動通信システムとして、３ＧＰＰ（3rd Generation Partnership Project）において標準化が進められているＬＴＥ（Long Term Evolution）などでは、基地局間における移動端末のハンドオーバをサポートするために、基地局は自局がカバーするエリアに隣接したエリアをカバーする基地局を示す情報を保持している。この隣接したエリアをカバーする基地局を示す情報である隣接セルリストは、報知チャネルなどを用いて基地局から移動端末に通知されている（非特許文献１）。
移動端末は、接続中の基地局や、隣接セルリストに含まれている基地局からの信号強度を測定し、測定結果を接続中の基地局に通知する。基地局は移動端末から受信した測定結果に基づいて、ハンドオーバの要否や、ハンドオーバ先の基地局を選択している。
【０００３】
ところで、基地局を新設した際や、撤去した際にも、適切にハンドオーバがなされるためには、隣接セルリストを実際の基地局の配置と一致させておく必要がある。一般的な移動通信システムでは、基地局の設置や撤去に応じて、移動通信システムの管理者又は運用者が隣接セルリストを手動で更新することが行われていた。しかし、移動通信システムの運用の自動化を目指し、人手を介さずに隣接セルリストを更新するＡＮＲ（Automatic Neighbor Relation）が検討されている（非特許文献１）。
ＡＮＲを用いる場合、移動端末は、基地局からの指示に基づいて、現在の位置において検出可能な基地局からの信号強度などを測定し、測定結果を基地局に送信する（Measurement Report）。基地局は、移動端末から受信した測定結果に基づき、隣接セルリストを更新することにより、実際の基地局の配置と隣接セルリストとを一致させて最新の状態に保つことが可能となる。
【０００４】
今後、益々増加する移動通信システムにおけるトラヒックを収容するために、基地局が備えている機能を、無線制御装置とアンテナ装置とに分離した上、複数の無線制御装置を同一局舎に集約する無線ネットワークアーキテクチャが検討されている（非特許文献２、３）。
この無線ネットワークアーキテクチャの特徴は、無線制御装置とアンテナ装置との接続関係を柔軟かつ動的に変更できる点である。例えば、トラヒックの時間変動や日次変動などに応じて、トラヒックの多く発生するエリアに、より多くの無線制御装置を割り当てることにより、限られた無線制御装置のリソースを効率的に利用することが可能となる。なお、無線ネットワークアーキテクチャにおいても、移動端末が適切に基地局間でハンドオーバできるように、隣接セルリストの更新が必要となる。隣接セルリストは、無線プロトコル処理を行う無線制御装置ごとに管理されており、無線制御装置がカバーするエリアに隣接するエリアをカバーする無線制御装置を示す情報を有する。
【先行技術文献】
【非特許文献】
【０００５】
【非特許文献１】3GPP TS 36.300, “Evolved Universal Terrestrial Radio Access （E-UTRA） and Evolved Universal Terrestrial Radio Access Network （E-UTRAN）; Overall description; Stage 2”
【非特許文献２】"Nokia Siemens Networks launches Liquid Radio"、[online]、平成２３年３月２１日、Nokia Siemens Networks、[平成２３年９月１６日検索]、インターネット<http://www.nokiasiemensnetworks.com/news-events/press-room/press-releases/nokia-siemens-networks-launches-liquid-radio>
【非特許文献３】" Light Radio（TM）：Evolve your wireless broadband network for the new generation of applications and users"、[online]、平成２３年７月２９日、Alcatel-Lucent、[平成２３年９月１９日検索]、インターネット<http://www.alcatel-lucent.com/features/light_radio/index.html>
【発明の概要】
【発明が解決しようとする課題】
【０００６】
非特許文献２、３などのように検討が進んでいる、基地局を無線制御装置とアンテナ装置とに分離し、複数の無線制御装置を集約する無線ネットワークアーキテクチャでは、トラヒック状況等に応じて、無線制御装置とアンテナ装置との接続関係を動的に変更する。接続関係を変更する際には、無線制御装置の隣接関係が換わるため、適切に隣接セルリストを更新する必要がある。
例えば、隣接セルリストの更新にＡＮＲを適用した場合、移動端末で基地局からの信号強度などを測定し、測定結果を無線制御装置に送信する必要があるため、隣接セルリストが正しく更新されるまでに生じるタイムラグが長くなる可能性がある。この場合、隣接セルリストが更新されるまでの間に、移動端末のハンドオーバが生じると、正しくハンドオーバを行うことができずに、移動端末の通信が切断されてしまう可能性があるという問題がある。
【０００７】
本発明は、上記問題を解決すべくなされたもので、その目的は、アンテナ装置と無線制御装置との接続関係を動的に変更できる無線ネットワークアーキテクチャにおいて、アンテナ装置と無線制御装置との間の接続関係の更新と、隣接セルリストの更新との時間差を削減する無線管理装置、無線管理方法、プログラム及び移動通信システムを提供することにある。
【課題を解決するための手段】
【０００８】
上記問題を解決するために、本発明は、移動端末との無線通信を行う複数のアンテナ装置と、前記アンテナ装置を制御する複数の無線制御装置と、前記アンテナ装置と前記無線制御装置との間の接続関係を管理する無線管理装置とを備えた移動通信システムにおける無線管理装置であって、前記無線制御装置それぞれに接続されている前記アンテナ装置を示す接続アンテナ装置リストを記憶している第１のテーブル部と、前記アンテナ装置ごとに該アンテナ装置が有する通信エリアと隣接する通信エリアを有している他の前記アンテナ装置である隣接アンテナ装置を示す隣接アンテナ装置リストを記憶している第２のテーブル部と、前記アンテナ装置と前記無線制御装置との接続の切り替えを示す切替信号に応じて、前記接続アンテナ装置リストを更新し、前記無線制御装置ごとの隣接する通信エリアを有している他の前記無線制御装置を示す隣接セルリストを前記切替信号と前記隣接アンテナ装置リストと更新後の接続アンテナ装置リストとに基づいて更新するテーブル更新部と、を備え、前記テーブル更新部は、前記切替信号で示される前記アンテナ装置と前記無線制御装置との接続の切り替えを指示する切替指示信号と、前記無線制御装置に記憶されている隣接セルリストを更新後の隣接セルリストに基づいて更新させる更新指示信号とを前記無線制御装置へ送信する、ことを特徴とする無線管理装置である。
【０００９】
また、本発明は、上記に記載の発明において、前記テーブル更新部は、前記接続先を切り替えるアンテナ装置を示す情報を、該アンテナ装置が接続されている前記無線制御装置に対応する接続アンテナ装置リストから削除するとともに、該アンテナ装置を新たに接続する前記無線制御装置に対応する接続アンテナ装置リストに該アンテナ装置を示す情報を追加し、前記無線制御装置に対応する前記接続アンテナ装置リストに含まれる前記アンテナ装置の隣接アンテナ装置を前記隣接アンテナ装置リストから検出し、検出した隣接アンテナ装置に接続されている他の前記無線制御装置を示す情報を更新後の隣接セルリストにすることを特徴とする。
【００１０】
また、本発明は、上記に記載の発明において、前記テーブル更新部は、前記切替信号が示す接続先を切り替える前記アンテナ装置の隣接アンテナ装置を前記隣接アンテナ装置リストから検出し、前記検出した隣接アンテナ装置に接続している前記無線制御装置を前記接続アンテナ装置リストから検出し、前記無線制御装置に接続されている前記アンテナ装置の隣接アンテナ装置に接続されている他の前記無線制御装置を示す隣接セルリストを更新する対象に、前記検出した無線制御装置と、前記切替信号が示す接続先を切り替えるアンテナ装置が接続されている前記無線制御装置と、該アンテナ装置を新たに接続する前記無線制御装置とを選択することを特徴とする。
【００１１】
また、本発明は、上記に記載の発明において、前記テーブル更新部は、更に、前記隣接セルリストを更新した後に、前記更新した隣接セルリストを、前記更新対象に選択した無線制御装置に送信することを特徴とする。
【００１２】
また、本発明は、上記に記載の発明において、前記テーブル更新部は、更に、前記切替信号が示す接続先を切り替える前記アンテナ装置の隣接アンテナ装置を前記隣接アンテナ装置リストから検出し、前記検出した隣接アンテナ装置に接続している前記無線制御装置を前記接続アンテナ装置リストから検出し、前記検出した無線制御装置のうち、前記切替信号が示す接続先を切り替えるアンテナ装置が接続されている前記無線制御装置と、該アンテナ装置を新たに接続する前記無線制御装置とを除いた無線制御装置に、接続先を切り替える前記アンテナ装置と、該アンテナ装置の切り替え先の前記無線制御装置とを示す更新指示信号を送信することを特徴とする。
【００１３】
また、本発明は、上記に記載の発明において、前記テーブル更新部は、更に、前記切替信号が示す接続先を切り替えるアンテナ装置に対応する隣接アンテナ装置リストと、該隣接アンテナ装置リストに含まれるアンテナ装置に接続されている前記無線制御装置とを示す情報と前記アンテナ装置の切り替え元及び切り替え先の前記無線制御装置に送信することを特徴とする。
【００１４】
また、本発明は、移動端末との無線通信を行う複数アンテナ装置ごとに該アンテナ装置が有する通信エリアと隣接する通信エリアを有している他の前記アンテナ装置である隣接アンテナ装置を示す隣接アンテナ装置リストを記憶している第２のテーブル部と、前記アンテナ装置を制御する複数の無線制御装置それぞれに接続されている前記アンテナ装置を示す接続アンテナ装置リストを記憶している第１のテーブルとを備えている無線管理装置における無線管理方法であって、前記アンテナ装置と前記無線制御装置との接続の切り替えを示す切替信号に応じて、前記接続アンテナ装置リストを更新し、前記無線制御装置ごとの隣接する通信エリアを有している他の前記無線制御装置を示す隣接セルリストを前記切替信号と前記隣接アンテナ装置リストと更新後の接続アンテナ装置リストとに基づいて更新するテーブル更新ステップと、前記切替信号で示される前記アンテナ装置と前記無線制御装置との接続の切り替えを指示する切替指示信号と、前記無線制御装置に記憶されている隣接セルリストを更新後の隣接セルリストに基づいて更新させる更新指示信号とを前記無線制御装置へ送信する指示ステップと、を有することを特徴とする無線管理方法である。
【００１５】
また、本発明は、移動端末との無線通信を行う複数アンテナ装置ごとに該アンテナ装置が有する通信エリアと隣接する通信エリアを有している他の前記アンテナ装置である隣接アンテナ装置を示す隣接アンテナ装置リストを記憶している第２のテーブル部と、前記アンテナ装置を制御する複数の無線制御装置それぞれに接続されている前記アンテナ装置を示す接続アンテナ装置リストを記憶している第１のテーブルとを備えている無線管理装置に設けられているコンピュータに、前記アンテナ装置と前記無線制御装置との接続の切り替えを示す切替信号に応じて、前記接続アンテナ装置リストを更新し、前記無線制御装置ごとの隣接する通信エリアを有している他の前記無線制御装置を示す隣接セルリストを前記切替信号と前記隣接アンテナ装置リストと更新後の接続アンテナ装置リストとに基づいて更新するテーブル更新ステップと、前記切替信号で示される前記アンテナ装置と前記無線制御装置との接続の切り替えを指示する切替指示信号と、前記無線制御装置に記憶されている隣接セルリストを更新後の隣接セルリストに基づいて更新させる更新指示信号とを前記無線制御装置へ送信する指示ステップと、を実行させるためのプログラムである。
また、本発明は、移動端末との無線通信を行う複数のアンテナ装置と、前記アンテナ装置を制御する複数の無線制御装置と、前記アンテナ装置と前記無線制御装置との間の接続関係を管理する無線管理装置とを備えた移動通信システムであって、前記無線管理装置は、前記無線制御装置それぞれに接続されている前記アンテナ装置を示す接続アンテナ装置リストを記憶している第１のテーブル部と、前記アンテナ装置ごとに該アンテナ装置が有する通信エリアと隣接する通信エリアを有している他の前記アンテナ装置である隣接アンテナ装置を示す隣接アンテナ装置リストを記憶している第２のテーブル部と、前記アンテナ装置と前記無線制御装置との接続の切り替えを示す切替信号に応じて前記接続アンテナ装置リストを更新し、前記無線制御装置ごとの隣接する通信エリアを有している他の前記無線制御装置を示す隣接セルリストを前記切替信号と前記隣接アンテナ装置リストと更新後の接続アンテナ装置リストとに基づいて更新するテーブル更新部と、を備え、前記テーブル更新部は、前記切替信号で示される前記アンテナ装置と前記無線制御装置との接続の切り替えを指示する切替指示信号と、前記無線制御装置に記憶されている隣接セルリストを更新後の隣接セルリストに基づいて更新させる更新指示信号とを前記無線制御装置へ送信する、ことを特徴とする移動通信システムである。
【発明の効果】
【００１６】
この発明によれば、無線管理装置は切替信号に応じて接続アンテナ装置リストを更新する。これにより、無線管理装置は、更新した接続アンテナ装置リストと隣接アンテナ装置リストとから、各無線制御装置に接続されているアンテナ装置が有する通信エリアに隣接する通信エリアを有する他のアンテナ装置に接続されている無線制御装置を検出することができ、隣接セルリストを更新することができる。すなわち、無線管理装置は、アンテナ装置と無線制御装置との接続を切り替える直前、同時、又は切り替えた直後に、移動端末における測定結果を用いることなく、アンテナ装置の接続を切り替えた後の状態に対応する隣接セルリストを得ることができ、接続の切り替えと隣接セルリストの更新とが行われる際のタイムラグを削減することができる。その結果、移動端末のハンドオーバの失敗などを抑制することができる。
【図面の簡単な説明】
【００１７】
【図１】第１実施形態における移動通信システム１００の構成を示す概略図である。
【図２】同実施形態における無線管理装置１と無線制御装置２との構成を示す概略ブロック図である。
【図３】同実施形態におけるＲＣＵテーブル１１の一例を示す図である。
【図４】同実施形態におけるＲＲＨテーブル１２の一例を示す図である。
【図５】同実施形態において図１に示したアンテナ装置３ｃの接続先を変更した図である。
【図６】同実施形態における隣接セルリストを更新する処理例を示すシーケンス図である。
【図７】同実施形態における隣接セルリスト及び接続ＲＲＨリストを更新する処理のフローチャートである。
【図８】同実施形態においてアンテナ装置３ｃの接続先を無線制御装置２Ｃから無線制御装置２Ｂに切り替えた後のＲＣＵテーブルを示す図である。
【図９】第２実施形態における無線管理装置５と無線制御装置２との構成を示す概略ブロック図である。
【図１０】同実施形態におけるＲＣＵテーブル５２に記憶されている接続ＲＲＨ情報及び隣接ＲＲＨ情報の一例を示す図である。
【図１１】同実施形態におけるＲＲＨテーブル６１に記憶されている接続ＲＲＨ情報及び隣接ＲＲＨ情報の一例を示す図である。
【図１２】同実施形態における隣接セルリストを更新する処理例を示すシーケンス図である。
【図１３】同実施形態における切り替え元の無線制御装置６の隣接セルリストを更新する処理（ステップＳ２０５）を示す図である。
【図１４】同実施形態における切り替え先の無線制御装置６の隣接セルリストを更新する処理（ステップＳ２０７）を示す図である。
【図１５】同実施形態における隣接セルリストの更新が必要となる無線制御装置６の隣接セルリストを更新する処理（ステップＳ２１０）を示す図である。
【図１６】同実施形態においてアンテナ装置３ｃの接続先を無線制御装置６Ｃから無線制御装置６Ｂに切り替えた後のＲＣＵテーブル５２を示す図である。
【図１７】第３実施形態における無線管理装置７と無線制御装置８との構成を示す概略ブロック図である。
【図１８】同実施形態における隣接セルリストを更新する処理例を示すシーケンス図である。
【発明を実施するための形態】
【００１８】
以下、図面を参照して、本発明の実施形態における無線管理装置、無線管理方法、及びプログラムを説明する。
【００１９】
（第１実施形態）
図１は、第１実施形態における移動通信システム１００の構成を示す概略図である。同図に示されるように、移動通信システム１００は、無線管理装置（Radio Management Unit；ＲＭＵ）１と、無線管理装置１に接続された複数の無線制御装置（Radio Control Unit；ＲＣＵ）２Ａ〜２Ｅと、無線制御装置２Ａ〜２Ｅに接続された複数のアンテナ装置（Remote Radio Head；ＲＲＨ）３ａ〜３ｈと、無線管理装置１をパケット・コア１０３に接続するパケットゲートウェイ１０２とを具備している。各無線制御装置２Ａ〜２Ｅは同じ構成を有しており、以下、無線制御装置２Ａ〜２Ｅのいずれか又は全体を示す場合に無線制御装置２という。また、アンテナ装置３ａ〜３ｈは同じ構成を有しており、以下、アンテナ装置３ａ〜３ｈのいずれか又は全体を示す場合にアンテナ装置３という。
【００２０】
無線管理装置１は、無線制御装置２とアンテナ装置３との接続関係を制御し、無線制御装置２それぞれに接続する移動端末（不図示）の数や、各無線制御装置２に要求されるトラヒックなどに応じて、無線制御装置２と接続するアンテナ装置３との接続関係を決定する。また、無線管理装置１は、決定した接続関係に基づいて、アンテナ装置３との接続の切り替えを示す切替指示信号と、隣接セルリストを更新させる更新指示信号とを無線制御装置２に送信する。隣接セルリストとは、無線制御装置２ごとに、無線制御装置２が形成するセル間の隣接関係を示すリストである。
【００２１】
無線制御装置２は、無線基地局装置における呼制御や無線リソースのスケジューリングなどの処理を行い、無線管理装置１及びパケットゲートウェイ１０２を介してパケット・コア１０３に接続され、上りリンク及び下りリンクのベースバンド処理を行う。また、各無線制御装置２Ａ〜２Ｅは、それぞれに異なるアンテナ装置３が接続され、接続されているアンテナ装置３から上りリンクの信号を受信し、接続されているアンテナ装置３に下りリンク信号を送信する。
【００２２】
また、無線制御装置２には、複数のアンテナ装置３を接続することが可能であり、複数のアンテナ装置３が接続されている場合、分散アンテナ技術と同様に、接続されている複数のアンテナ装置３から同一データを含む信号を送信する。また、無線制御装置２は、接続されているアンテナ装置３の通信可能なエリア（通信エリア）でセルを形成する。複数のアンテナ装置３が接続されている場合、各アンテナ装置３の通信可能なエリアをまとめて１つのセルを形成する。
アンテナ装置３は、無線基地局装置におけるアンテナ素子と含む無線通信機能を独立させた無線通信ユニットであり、移動端末と無線通信を行う。また、アンテナ装置３は、光ファイバ回線などを用いて無線制御装置２Ａ〜２Ｅと接続されている。
【００２３】
図１に示す例では、アンテナ装置３ａはアンテナ装置３ｂ、３ｅと隣接して配置され、アンテナ装置３ｂはアンテナ装置３ａ、３ｃ、３ｆと隣接して配置され、アンテナ装置３ｃはアンテナ装置３ｂ、３ｄ、３ｇと隣接して配置され、アンテナ装置３ｄはアンテナ装置３ｃ、３ｈと隣接して配置されている。
また、アンテナ装置３ｅはアンテナ装置３ａ、３ｆと隣接して配置され、アンテナ装置３ｆはアンテナ装置３ｂ、３ｅ、３ｇと隣接して配置され、アンテナ装置３ｇはアンテナ装置３ｃ、３ｆ、３ｈと隣接して配置され、アンテナ装置３ｈはアンテナ装置３ｄ、３ｇと隣接して配置されている。
無線制御装置２Ａにはアンテナ装置３ａ、３ｅが接続されている。無線制御装置２Ｂにはアンテナ装置３ｂ、３ｆが接続されている。無線制御装置２Ｃにはアンテナ装置３ｃ、３ｇが接続されている。無線制御装置２Ｄにはアンテナ装置３ｄが接続されている。無線制御装置２Ｅにはアンテナ装置３ｈが接続されている。
【００２４】
無線管理装置１と無線制御装置２とは、例えば集約センター１０１にまとめて設置される。アンテナ装置３は、集約センター１０１から離れた位置に設置される。
パケットゲートウェイ１０２は、集約センター１０１に設置されている無線管理装置１と、パケット・コア１０３とを接続し、無線管理装置１とパケット・コア１０３との間における信号の送受信を行い、信号を中継する。
パケット・コア１０３は、他の移動通信システムや、インターネットなどの外部ネットワークに接続されたネットワークである。
【００２５】
図２は、本実施形態における無線管理装置１と無線制御装置２との構成を示す概略ブロック図である。同図に示されるように、無線管理装置１は、ＲＣＵテーブル１１と、ＲＲＨテーブル１２と、リソース割当部１３と、ＲＣＵテーブル更新部１４とを備えている。
【００２６】
ＲＣＵテーブル１１には、無線制御装置２ごとに、接続アンテナ装置リストと隣接セルリストとを対応付けて記憶している。ここで、接続アンテナ装置リスト（以下、接続ＲＲＨリストという。）は、無線制御装置２に接続されているアンテナ装置３を示す情報である。隣接セルリストは、無線制御装置２のセルに隣接するセルを形成している無線制御装置２を示す情報である。例えば、図１において、無線制御装置２Ｂに対応付けられている接続アンテナ装置リストは、「アンテナ装置３ｂ、アンテナ装置３ｆ」を示す情報である。また、無線制御装置２Ｂに対応付けられている隣接セルリストは、「無線制御装置２Ａ、無線制御装置２Ｃ」を示す情報である。
【００２７】
ＲＲＨテーブル１２には、アンテナ装置３ごとに、隣接ＲＲＨリストが対応付けられて予め記憶されている。隣接ＲＲＨリストは、アンテナ装置３の通信可能なエリアに隣接するエリアを通信可能なエリアとするアンテナ装置３を示す情報である。例えば、図１において、アンテナ装置３ｃに対応付けられている隣接ＲＲＨリストは、「アンテナ装置３ｂ、アンテナ装置３ｄ、アンテナ装置３ｇ」を示す情報である。
【００２８】
図３は、本実施形態におけるＲＣＵテーブル１１の一例を示す図である。同図に示されるように、ＲＣＵテーブル１１は、各無線制御装置２を識別する識別子（ＲＣＵ−ＩＤ）に、接続ＲＲＨリストと隣接セルリストとが対応付けられている。例えば、無線制御装置２Ｃを示すＲＣＵ−ＩＤ「Ｃ」には、「アンテナ装置３ｃ、アンテナ装置３ｇ」を示す接続ＲＲＨリスト「ｃ，ｇ」と、「無線制御装置２Ｂ、無線制御装置２Ｄ、無線制御装置２Ｅ」を示す隣接セルリスト「Ｂ，Ｄ，Ｅ」とが対応付けられている。
【００２９】
図４は、本実施形態におけるＲＲＨテーブル１２の一例を示す図である。同図に示されるように、ＲＲＨテーブル１２は、各アンテナ装置３を識別する識別子（ＲＲＨ−ＩＤ）に、隣接ＲＲＨリストが対応付けられている。例えば、アンテナ装置３ｃを示すＲＲＨ−ＩＤ「ｃ」には、「アンテナ装置３ｂ、アンテナ装置３ｄ、アンテナ装置３ｇ」を示す隣接ＲＲＨリスト「ｂ，ｄ，ｇ」が対応付けられている。
【００３０】
図２に戻って、無線管理装置１と無線制御装置２との構成の説明を続ける。
リソース割当部１３は、無線制御装置２から受信するトラヒック情報に基づいて、各無線制御装置２に接続するアンテナ装置３を決定し、決定に応じた切替信号を生成する。トラヒック情報は、例えば、無線制御装置２が各アンテナ装置３を用いて送受信するデータ量を示す情報である。切替信号は、接続先を変更するアンテナ装置３を示す情報と、当該アンテナ装置３の新たな接続先を示す情報とを含む信号である。また、リソース割当部１３は公知の技術を用いて接続関係を決定する。
【００３１】
ＲＣＵテーブル更新部１４は、リソース割当部１３から入力される切替信号と、ＲＲＨテーブル１２に記憶されている隣接ＲＲＨリストとに基づいて、ＲＣＵテーブル１１に記憶されている接続ＲＲＨリスト及び隣接セルリストを更新する。ＲＣＵテーブル更新部１４は、接続ＲＲＨリスト及び隣接セルリストの更新結果に基づいて、アンテナ装置３との接続を切り替えさせる切替指示信号と、各無線制御装置２に記憶されている隣接セルリストを更新させる更新指示信号とを生成し、無線制御装置２に送信する。
【００３２】
無線制御装置２は、隣接セルテーブル２１と、通信部２２と、隣接セルテーブル更新部２３とを備えている。隣接セルテーブル２１には、自装置のセルと隣接するセルを形成している無線制御装置２を示す隣接セルリストが記憶されている。
通信部２２は、隣接セルテーブル更新部２３から入力される切替指示信号が指定するアンテナ装置３と接続し、接続したアンテナ装置３を介して移動端末と通信をする。通信部２２は、各アンテナ装置３が移動端末と送受信するトラヒック情報を無線管理装置１に送信する。また、通信部２２は、隣接セルテーブル２１に記憶されている隣接セルリストを読み出し、読み出した隣接セルリストをアンテナ装置３に送信する。アンテナ装置３において、隣接セルリストは報知チャネルなどを用いて移動端末に送信される。
隣接セルテーブル更新部２３は、無線管理装置１から切替指示信号及び更新指示信号を受信する。隣接セルテーブル更新部２３は、受信した切替指示信号を通信部２２に出力し、受信した更新指示信号に基づいて隣接セルテーブル２１に記憶されている隣接セルリストを更新する。
【００３３】
以下、具体的な例を示して無線制御装置２に記憶されている隣接セルリストを更新する処理を説明する。図５は、図１に示した移動通信システム１００におけるアンテナ装置３ｃの接続先を変更した図である。ここでは、図５に示すように、無線制御装置２Ｃに接続されているアンテナ装置３ｃの接続先を無線制御装置２Ｂに切り替える場合における処理を例にして、無線管理装置１及び無線制御装置２の動作を説明する。すなわち、図１に示した接続関係を図５に示した接続関係に変更する場合における動作を説明する。また、無線制御装置２Ａ〜２Ｅそれぞれを識別するＲＣＵ−ＩＤを「Ａ」、「Ｂ」、「Ｃ」、「Ｄ」、「Ｅ」とし、アンテナ装置３ａ〜３ｈそれぞれを識別するＲＲＨ−ＩＤを「ａ」、「ｂ」、「ｃ」、「ｄ」、「ｅ」、「ｆ」、「ｇ」、「ｈ」として説明をする。
【００３４】
図５に示すように、アンテナ装置３ｃの接続先を無線制御装置２Ｂに切り替えることにより、無線制御装置２Ｂ、２Ｃ、２Ｄそれぞれの隣接するセルが変わる。無線制御装置２Ｂの隣接セルは、無線制御装置２Ａ、２Ｃ、２Ｄが形成するセルとなる。無線制御装置２Ｃの隣接セルは、無線制御装置２Ｂ、２Ｅが形成するセルとなる。無線制御装置２Ｄの隣接セルは、無線制御装置２Ｂ、２Ｅが形成するセルとなる。
【００３５】
図６は、本実施形態における隣接セルリストを更新する処理例を示すシーケンス図である。同図に示されるように、各無線制御装置（ＲＣＵ）２Ａ〜２Ｅにおいて、通信部２２は、予め定められた周期ごとに定期的に、あるいは無線管理装置（ＲＭＵ）１が指定した時刻ごとに各アンテナ装置３が移動端末と送受信するトラヒック情報を、無線管理装置１に送信する（ステップＳ１）。
【００３６】
無線管理装置１において、リソース割当部１３は、各無線制御装置２から受信したトラヒック情報に基づいて、無線制御装置２とアンテナ装置３との接続関係を決定する（ステップＳ２）。また、リソース割当部１３は、決定した接続関係に応じた切替信号を生成し、生成した切替信号をＲＣＵテーブル更新部１４に出力する。
【００３７】
接続関係の決定は、例えば、所定の無線制御装置２に対して移動端末から要求されるトラヒック量の和が閾値以下となった場合に、アンテナ装置３の接続先を変更することが行われる。ここでは、無線制御装置２Ｃにおけるトラヒック量が閾値以上となり、無線制御装置２Ｂにおけるトラヒック量が閾値以下であったため、無線制御装置２Ｃに接続されていたアンテナ装置３ｃを無線制御装置２Ｂに切り替える接続関係の決定がなされている。
なお、接続関係の決定は、各無線制御装置２におけるトラヒック量を平均するようにしてもよいし、又は、予め定められた無線制御装置２（又はセル）におけるトラヒックを優先的に処理するようにしてもよい。
【００３８】
ＲＣＵテーブル更新部１４は、リソース割当部１３から入力された切替信号に応じて、ＲＣＵテーブル１１に記憶されている接続ＲＲＨリスト及び隣接セルリストを更新する（ステップＳ３）。
ＲＣＵテーブル更新部１４は、接続ＲＲＨリストの更新対象となった無線制御装置２Ｃに対して、接続されているアンテナ装置３ｃとの接続を切断させる切替指示信号と、隣接セルリストを「Ｂ，Ｅ」に更新させる更新指示情報とを送信する（ステップＳ４）。
ＲＣＵテーブル更新部１４は、接続ＲＲＨリストの更新対象となった無線制御装置２Ｂに対して、アンテナ装置３ｃを接続させる切替指示信号と、隣接セルリストを「Ａ，Ｃ，Ｄ」に更新させる更新指示情報とを送信する（ステップＳ５）。
ＲＣＵテーブル更新部１４は、接続ＲＲＨリストの更新対象ではないが隣接セルリストの更新対象となった無線制御装置２Ｄに対して、隣接セルリストを「Ｂ，Ｅ」に変更させる更新指示情報を送信する（ステップＳ６）。
【００３９】
切替指示信号を受信した無線制御装置２Ｂ、２Ｃにおいて、通信部２２は、互いに連携を取りながら、アンテナ装置３ｃの接続を切り替える（ステップＳ７）。このとき、無線制御装置２Ｃに備えられた通信部２２と、無線制御装置２Ｂに備えられた通信部２２とは、アンテナ装置３ｃが無線制御装置２Ｃ、２Ｂの両方に同時に接続されないように、切り替えを行う。
また、無線制御装置２Ｃに備えられている隣接セルテーブル更新部２３は、アンテナ装置３ｃの切断が完了したことを通知する信号を無線制御装置２Ｂに備えられている隣接セルテーブル更新部２３に送信し、無線制御装置２Ｂに備えられている隣接セルテーブル更新部２３は、当該信号を受信した後にアンテナ装置３ｃを接続するようにしてもよい。また、各通信部２２は、ＲＣＵテーブル更新部１４が設定した時刻において、アンテナ装置３ｃの切り替えを行うようにしてもよい。
【００４０】
更新指示情報を受信した無線制御装置２Ｂ、２Ｃ、２Ｄにおいて、隣接セルテーブル更新部２３は、受信した更新指示情報に基づいて、隣接セルテーブル２１に記憶されている隣接セルリストを更新する（ステップＳ８）。
上述のステップＳ１からステップＳ８の処理により、アンテナ装置３の接続先の変更にともなう隣接セルリストの更新が行われる。
なお、上述のステップＳ４及びステップＳ５において、ＲＣＵテーブル更新部１４は、切替指示信号と更新指示信号とを異なるタイミングで各無線制御装置２に送信するようにしてもよい。また、ステップＳ６における更新指示信号の送信をステップＳ４又はステップＳ５の前に行うようにしてもよい。
【００４１】
次に、ステップＳ３におけるＲＣＵテーブル１１を更新する処理をより詳細に説明する。図７は、本実施形態における隣接セルリスト及び接続ＲＲＨリストを更新する処理のフローチャートである。ここでは、図６における説明と同様に、図１に示した無線制御装置２とアンテナ装置３との接続関係を、図５に示した無線制御装置２とアンテナ装置３との接続関係に変更する場合を例にして説明する。
【００４２】
無線管理装置１において、ＲＣＵテーブル更新部１４は、アンテナ装置３ｃの接続先を無線制御装置２Ｃから無線制御装置２Ｂに切り替える切替信号がリソース割当部１３から入力されると、ＲＲＨテーブル１２に記憶されている隣接ＲＲＨリストに基づいて、接続先を切り替える対象のアンテナ装置３ｃと通信可能エリアが隣接しているアンテナ装置３（以下、隣接ＲＲＨという。）が、アンテナ装置３ｂ、３ｄ、３ｇであることを検出する（ステップＳ１１）。
ＲＣＵテーブル更新部１４は、ＲＣＵテーブル１１に記憶されている接続ＲＲＨリストに基づいて、隣接ＲＲＨが接続されている無線制御装置２（以下、隣接ＲＣＵという。）を検出する。ここでは、隣接ＲＣＵは、アンテナ装置３ｂが接続されている無線制御装置２Ｂ、アンテナ装置３ｄが接続されている無線制御装置２Ｄ、アンテナ装置３ｇが接続されている無線制御装置２Ｃである。しかし、アンテナ装置３ｃの接続を切り替える対象（以下、切替対象という。）である無線制御装置２Ｂ及び無線制御装置２Ｃは、隣接ＲＣＵから除外する。そのため、隣接ＲＣＵは、無線制御装置２Ｄとなる。また、ＲＣＵテーブル更新部１４は、隣接ＲＣＵと、アンテナ装置３ｃが接続されている無線制御装置２Ｃ（切り替え元）と、アンテナ装置３ｃの接続を切り替える先の無線制御装置２Ｂとを隣接セルリストの更新対象に選択する（ステップＳ１２）。
【００４３】
ＲＣＵテーブル更新部１４は、ＲＲＨテーブル１２に記憶されている隣接ＲＲＨリストと、ＲＣＵテーブル１１に記憶されている接続ＲＲＨリストとに基づいて、切替対象である無線制御装置２Ｂ、２Ｃと、隣接ＲＣＵである無線制御装置２Ｄとを隣接セルリストの更新対象に選択し、更新対象に選択された無線制御装置２に対応付けられている隣接セルリストを更新する（ステップＳ１３）。
具体的には、ＲＣＵテーブル更新部１４は、接続先を切り替えるアンテナ装置３ｃの切り替え元の無線制御装置２Ｃに対応する接続ＲＲＨリストから、接続先を切り替えるアンテナ装置３ｃの識別子を削除する。また、ＲＣＵテーブル更新部１４は、接続先を切り替えるアンテナ装置３ｃの切り替え先の無線制御装置２Ｂに対応する接続ＲＲＨリストに、接続先を切り替えるアンテナ装置３ｃの識別子を追加する。
更に、ＲＣＵテーブル更新部１４は、ＲＣＵテーブル１１に記憶されている接続ＲＲＨリストのうち、更新対象の無線制御装置２の接続ＲＲＨリストを順に読み出し、読み出した接続ＲＲＨリストに対応する無線制御装置２の隣接セルリストを更新する。ＲＣＵテーブル更新部１４は、読み出した接続ＲＲＨリストに含まれているアンテナ装置３の隣接ＲＲＨリストをＲＲＨテーブル１２から読み出す。続いて、ＲＣＵテーブル更新部１４は、読み出した隣接ＲＲＨリストに含まれているアンテナ装置３に接続されている無線制御装置２をＲＣＵテーブル１１から検出し、検出した無線制御装置２を隣接セルとして隣接セルリストを更新する。なお、ＲＣＵテーブル更新部１４は、隣接セルリストを更新する際に、自装置が隣接セルリストに含まれないようにする。
【００４４】
例えば、無線制御装置２Ｂの隣接セルリストの更新に関しては、切り替え後に、無線制御装置２Ｂに接続するアンテナ装置３は、アンテナ装置３ｂ、アンテナ装置３ｃ、及びアンテナ装置３ｆであり、アンテナ装置３ｂの隣接ＲＲＨはアンテナ装置３ａ、３ｃ、３ｆであり、アンテナ装置３ｃの隣接ＲＲＨはアンテナ装置３ｂ、３ｄ、３ｇであり、アンテナ装置３ｆの隣接ＲＲＨはアンテナ装置３ｂ、３ｅ、３ｇである。それぞれの隣接ＲＲＨのうち、アンテナ装置３ｂ、３ｃ、３ｆは、無線制御装置２Ｂに接続するアンテナ装置３であるため隣接ＲＲＨから除外すると、残る隣接ＲＲＨは、アンテナ装置３ａ、３ｄ、３ｅ、３ｇとなる。
残る隣接ＲＲＨのうち、アンテナ装置３ａ、３ｅは無線制御装置２Ａに接続され、アンテナ装置３ｄは無線制御装置２Ｄに接続され、アンテナ装置３ｇは無線制御装置２Ｃに接続されている。その結果、無線制御装置２Ｂの隣接セルリストは、無線制御装置２Ａ、２Ｃ、２Ｄを示す「Ａ，Ｃ，Ｄ」に変更されることになる。
また、無線制御装置２Ｃと、無線制御装置２Ｄとに対しても同様に、隣接ＲＲＨを検出し、検出した隣接ＲＲＨに基づいて、隣接セルリストの更新を行う。
【００４５】
上述のステップＳ１１からステップＳ１３の処理を行うことにより、アンテナ装置３ｃの接続先を無線制御装置２Ｃから無線制御装置２Ｂに切り替えた場合におけるＲＣＵテーブル１１は、図８に示すように変更される。
図８は、本実施形態においてアンテナ装置３ｃの接続先を無線制御装置２Ｃから無線制御装置２Ｂに切り替えた後のＲＣＵテーブル１１を示す図である。図８と図３とを比べると、無線制御装置２Ｂに対応する接続ＲＲＨリストには「ｃ」が追加されているとともに、隣接セルリストには「Ｄ」が追加されている。また、無線制御装置２Ｃに対応する接続ＲＲＨリストから「ｃ」が削除され、隣接セルリストから「Ｄ」が削除されている。また、無線制御装置２Ｄに対応する隣接セルリストは「Ｄ」が「Ｂ」に変更されている。
【００４６】
無線制御装置２とアンテナ装置３との接続関係を動的に変更する移動通信システム１００において、無線管理装置１は、ＲＣＵテーブル１１に記憶されている各無線制御装置２の接続ＲＲＨリストと、ＲＲＨテーブル１２に記憶されている各アンテナ装置３の隣接ＲＲＨリストとに基づいて、隣接セルリストを更新することができる。
これにより、無線制御装置２とアンテナ装置３との接続を変更後に、移動端末における信号強度の測定を行わずとも隣接セルリストの更新を行うことができる。また、アンテナ装置３の接続を切り替える前に、隣接セルリストを更新することができるので、接続先の切り替える直前、同時、又は切り替えた直後に、隣接セルリストの更新を行うことができるので、接続先の切り替えと隣接セルリストの更新との間のタイムラグを短くすることができる。
【００４７】
また、無線制御装置２は、接続するアンテナ装置３を切り替えるタイミングと、アンテナ装置３を介して自装置と通信する移動端末に更新した隣接セルリストを通知するタイミングとの差を短くすることにより、正しくハンドオーバを行うことができずに移動端末の通信が切断されてしまう可能性を低くすることができ、移動通信システム１００の安定性を向上させることができる。
また、隣接セルリストの更新にあたり、アンテナ装置３、無線制御装置２、及び無線管理装置１と、移動端末との間において、ＡＮＲを適用した場合に生じるような信号強度の測定結果を送受信する必要がなく、通信リソースにおけるオーバヘッドを削減することができ、通信リソースを効率的に利用することができる。
【００４８】
なお、上述のステップＳ４からステップＳ６において、ＲＣＵテーブル更新部１４は、隣接セルリストの更新内容を各無線制御装置２に送信する構成を説明したが、これに限ることなく、更新後の隣接セルリストを各無線制御装置２に送信するようにしてもよい。なお、本実施形態では、無線管理装置１がＲＣＵテーブル１１と、ＲＲＨテーブル１２とを個別に備える構成について説明したが、接続ＲＲＨリスト、隣接セルリスト、及び各アンテナ装置３に対する隣接ＲＲＨリストを記憶する１つの記憶部（テーブル）を備えるようにしてもよい。
【００４９】
（第２実施形態）
図９は、第２実施形態における無線管理装置５と無線制御装置２との構成を示す概略ブロック図である。なお、本実施形態における移動通信システムは、第１実施形態における移動通信システム１００が具備する無線管理装置１に替えて無線管理装置５を具備し、無線制御装置２に替えて無線制御装置６を具備している。
【００５０】
同図に示されるように、無線管理装置５は、リソース割当部５１と、ＲＣＵテーブル５２と、ＲＣＵテーブル更新部５３とを備えている。リソース割当部５１は、各無線制御装置６から受信するトラヒック情報に基づいて、各無線制御装置６に接続するアンテナ装置３を決定し、決定した接続関係に応じた切替指示信号を生成する。ＲＣＵテーブル５２には、無線管理装置５に接続されている無線制御装置６ごとに、接続ＲＲＨ情報と、隣接ＲＲＨ情報とが記憶されている。
ここで、接続ＲＲＨ情報は、無線制御装置６に接続されているアンテナ装置３を示す識別子（ＲＲＨ−ＩＤ）である。隣接ＲＲＨ情報は、無線制御装置６に接続されているアンテナ装置３が有する通信エリアに隣接する通信エリアを有する他のアンテナ装置３を示す識別子と、当該他のアンテナ装置３に接続されている無線制御装置６を示す識別子（ＲＣＵ−ＩＤ）とを組み合わせた情報である。
【００５１】
ＲＣＵテーブル更新部５３は、ＲＣＵテーブル５２に記憶されている接続ＲＲＨ情報及び隣接ＲＲＨ情報を更新する。また、ＲＣＵテーブル更新部５３は、隣接セルリスト更新指示信号を生成し、生成した隣接セルリスト更新信号を無線制御装置６に送信する。
ここで、ＲＲＨ情報は、無線制御装置６との接続を切り替えるアンテナ装置３に関する情報である。
【００５２】
無線制御装置６は、ＲＲＨテーブル６１と、隣接セルテーブル６２と、通信部６３と、隣接セルリスト更新部６４とを備えている。
ＲＲＨテーブル６１には、自装置に接続されているアンテナ装置３を示す接続ＲＲＨ情報ごとに、隣接ＲＲＨ情報が記憶されている。
隣接セルテーブル６２には、自装置のセルに隣接するセルを形成している他の無線制御装置６を示す識別子（ＲＣＵ−ＩＤ）のリストである隣接セルリストが記憶されている。
通信部６３は、隣接セルリスト更新部６４から入力される切替指示信号により指定されるアンテナ装置３と接続し、接続したアンテナ装置３を介して移動端末と通信をする。通信部６３は、各アンテナ装置３が移動端末と送受信するトラヒック情報を無線管理装置５に送信する。また、通信部６３は、隣接セルテーブル６２に記憶されている隣接セルリストを読み出し、読み出した隣接セルリストをアンテナ装置３に送信する。アンテナ装置３において、隣接セルリストは報知チャネルなどを用いて移動端末に送信される。
隣接セルリスト更新部６４は、無線管理装置５から切替指示信号を受信し、受信した切替指示信号に応じて、ＲＲＨテーブル６１に記憶されている接続ＲＲＨ情報及び隣接ＲＲＨ情報を更新し、更新結果に応じて、隣接セルテーブル６２に記憶されている隣接セルリストを更新する。
【００５３】
図１０は、本実施形態におけるＲＣＵテーブル５２に記憶されている接続ＲＲＨ情報及び隣接ＲＲＨ情報の一例を示す図である。同図に示されている例は、図１における無線制御装置とアンテナ装置との接続関係に対応している。ＲＣＵテーブル５２には、無線制御装置６を示す情報（ＲＣＵ−ＩＤ）ごとに、接続ＲＲＨ情報、及び隣接ＲＲＨ情報が記憶されている。
例えば、無線制御装置６Ｂを示す「Ｂ」に、無線制御装置６Ｂに接続されているアンテナ装置３ｂ、３ｆを示す「ｂ」及び「ｆ」と、アンテナ装置３ｂに対する隣接ＲＲＨ情報「ａ−Ａ，ｃ−Ｃ，ｆ−Ｂ」及びアンテナ装置３ｆに対する隣接ＲＲＨ情報「ｂ−Ｂ，ｅ−Ａ，ｇ−Ｃ」とが対応付けられている。ここでは、アンテナ装置３ａ〜３ｈそれぞれの識別子（ＲＲＨ−ＩＤ）を「ａ」〜「ｈ」で表し、無線制御装置６Ａ〜６Ｅそれぞれの識別子（ＲＣＵ−ＩＤ）を「Ａ」〜「Ｅ」で表している。
【００５４】
図１１は、本実施形態におけるＲＲＨテーブル６１に記憶されている接続ＲＲＨ情報及び隣接ＲＲＨ情報の一例を示す図である。同図に示す接続ＲＲＨ情報及び隣接ＲＲＨ情報は、図１に示した無線制御装置とアンテナ装置との接続関係に対応している。図１１（ａ）は無線制御装置６Ａに備えられているＲＲＨテーブル６１に記憶されている接続ＲＲＨ情報及び隣接ＲＲＨ情報を示している。図１１（ｂ）〜図１１（ｅ）は、図１１（ａ）と同様に、それぞれが無線制御装置６Ｂ〜６Ｅに備えられているＲＲＨテーブル６１に記憶されている接続ＲＲＨ情報及び隣接ＲＲＨ情報を示している。
例えば、図１１（ｂ）で示されている無線制御装置６Ｂに備えられているＲＲＨテーブル６１には、無線制御装置６Ｂに接続されているアンテナ装置３ｂ、３ｆを示す「ｂ」及び「ｆ」が接続ＲＲＨ情報として記憶されている。接続ＲＲＨ情報「ｂ」には、隣接ＲＲＨ情報としてＲＲＨ−ＩＤ「ａ」とＲＣＵ−ＩＤ「Ａ」との組み合わせ、ＲＲＨ−ＩＤ「ｃ」とＲＣＵ−ＩＤ「Ｃ」との組み合わせ、及び、ＲＲＨ−ＩＤ「ｆ」とＲＣＵ−ＩＤ「Ｂ」との組み合わせが対応付けられている。同様に、接続ＲＲＨ情報「ｆ」には、「ｂ−Ｂ」、「ｅ−Ａ」及び「ｇ−Ｃ」の組み合わせが対応付けられている。
【００５５】
以下、具体的な例を示して、各無線制御装置６に記憶されている隣接セルリストを更新する処理を説明する。ここでは、図５に示すように、無線制御装置６Ｃに接続されているアンテナ装置３ｃの接続先を無線制御装置６Ｂに切り替える場合における処理を例にして、無線管理装置５及び無線制御装置６の動作を説明する。すなわち、図１に示した接続関係を図５に示した接続関係に変更する場合における動作を説明する。
【００５６】
図１２は、本実施形態における隣接セルリストを更新する処理例を示すシーケンス図である。ここでは、第１実施形態における図６に示した例と同様に、無線制御装置６Ｃにおけるトラヒック量が予め定められた閾値以上となり、無線制御装置６Ｂにおけるトラヒック量が閾値以下であったため、無線制御装置６Ｃに接続されていたアンテナ装置３ｃを無線制御装置６Ｂに切り替える場合（図１に示す接続関係から図５に示す接続関係に切り替える場合）を例にして説明する。
【００５７】
図１２に示されるように、各無線制御装置（ＲＣＵ）６Ａ〜６Ｅにおいて、通信部６３は、予め定められた周期ごとに定期的に、あるいは無線管理装置（ＲＭＵ）５が指定した時刻ごとに、各アンテナ装置３が移動端末と送受信するトラヒック情報を無線管理装置５に送信する（ステップＳ２０１）。
【００５８】
無線管理装置５において、リソース割当部５１は、各無線制御装置６から受信したトラヒック情報に基づいて、無線制御装置６とアンテナ装置３との接続の変更を決定する（ステップＳ２０２）。また、リソース割当部５１は、決定した接続変更に応じた切替指示信号を生成し、生成した切替指示信号を無線制御装置６Ｃと無線制御装置６Ｂとに送信する（ステップＳ２０３）。ステップＳ２０３において送信される切替指示信号は、無線制御装置６Ｃに接続されているアンテナ装置３ｃの接続先を無線制御装置６Ｂに切り替えることを示す信号である。
【００５９】
無線制御装置６Ｃにおいて、隣接セルリスト更新部６４は、受信した切替指示信号を通信部６３に出力し、通信部６３にアンテナ装置３ｃとの接続を切断させる。この後、無線制御装置６Ｂにおいて、隣接セルリスト更新部６４は、受信した切替指示信号を通信部６３に出力し、通信部６３にアンテナ装置３ｃとの接続をさせる（ステップＳ２０４）。このとき、無線制御装置６Ｃに備えられた通信部６３と、無線制御装置６Ｂに備えられた通信部６３とは、互いに連携を取りながら、アンテナ装置３ｃが無線制御装置６Ｂ、２Ｃの両方に同時に接続されないように、切り替えを行う。
【００６０】
アンテナ装置３ｃの切り替え元である無線制御装置６Ｃにおいて、アンテナ装置３ｃの接続の切り替えが完了すると、隣接セルリスト更新部６４は、ＲＲＨテーブル６１に記憶されている接続ＲＲＨ情報及び隣接ＲＲＨ情報を更新し、更新結果に基づいて隣接セルテーブル６２に記憶されている隣接セルリストを更新する（ステップＳ２０５）。
隣接セルリスト更新部６４は、接続の切り替え対象である無線制御装置６Ｃに対するＲＲＨ情報を生成し、アンテナ装置３ｃの切り替え先である無線制御装置６Ｂに生成したＲＲＨ情報を送信する（ステップＳ２０６）。
【００６１】
アンテナ装置３ｃの切り替え先である無線制御装置６Ｂにおいて、隣接セルリスト更新部６４は、無線制御装置６ＣからＲＲＨ情報を受信すると、受信したＲＲＨ情報を用いてＲＲＨテーブル６１に記憶されている接続ＲＲＨ情報及び隣接ＲＲＨ情報を更新し、更新結果に基づいて、隣接セルテーブル６２に記憶されている隣接セルリストを更新する（ステップＳ２０７）。
【００６２】
無線管理装置５において、ＲＣＵテーブル更新部５３は、ステップＳ２０３において生成した切替指示信号に基づいて、ＲＣＵテーブル５２に記憶されている接続ＲＲＨ情報及び隣接ＲＲＨ情報を更新する。
具体的には、ＲＣＵテーブル更新部５３は、ＲＣＵテーブル５２において、切替指示信号が示す切り替え対象のアンテナ装置３ｃに対応する接続ＲＲＨ情報（ＲＲＨ−ＩＤ「ｃ」）及び隣接ＲＲＨ情報（「ｂ−Ｂ、ｄ−Ｄ、ｇ−Ｃ」）と、アンテナ装置３ｃの切り替え元の無線制御装置６Ｃを示すＲＣＵ−ＩＤ「Ｃ」との対応を削除する。また、ＲＣＵテーブル更新部５３は、ＲＣＵテーブル５２において、切替指示信号が示す切り替え対象のアンテナ装置３ｃに対応する、接続ＲＲＨ情報（ＲＲＨ−ＩＤ「ｃ」）及び隣接ＲＲＨ情報（「ｂ−Ｂ、ｄ−Ｄ、ｇ−Ｃ」）を、アンテナ装置３ｃの切り替え先の無線制御装置６Ｂを示すＲＣＵ−ＩＤ「Ｂ」に対応付ける。更に、ＲＣＵテーブル更新部５３は、ＲＣＵテーブル５２に記憶されている隣接ＲＲＨ情報のうち、切り替え対象のアンテナ装置３ｃと組み合わされているＲＣＵ−ＩＤ「Ｃ」を、切り替え先の無線制御装置６Ｂを示すＲＣＵ−ＩＤ「Ｂ」に変更する。
なお、ＲＣＵテーブル更新部５３は、ステップＳ２０６において無線制御装置６Ｃから無線制御装置６Ｂに送信されるＲＲＨ情報を受信し、受信したＲＲＨ情報に基づいて、ＲＣＵテーブル５２に記憶されている接続ＲＲＨ情報及び隣接ＲＲＨ情報を更新するようにしてもよい。
【００６３】
ＲＣＵテーブル更新部５３は、アンテナ装置３ｃが無線制御装置６Ｂに接続されていることを示す隣接セルリスト変更指示信号を生成し（ステップＳ２０８）、生成した隣接セルリスト更新信号を、ＲＣＵテーブル５２に記憶されている隣接ＲＲＨ情報が変更された無線制御装置６のうち、切り替え先、及び切り替え元の無線制御装置６以外の無線制御装置６Ｄに送信する（ステップＳ２０９）。
無線制御装置６Ｄにおいて、隣接セルリスト更新部６４は、無線管理装置５から隣接セルリスト更新指示信号を受信すると、ＲＲＨテーブル６１に記憶されている隣接ＲＲＨ情報を更新する（ステップＳ２１０）。
上述のステップＳ２０１からステップＳ２１０の処理により、アンテナ装置３の接続先の変更に伴う隣接セルリストの更新が行われる。
【００６４】
以下に、ステップＳ２０５、ステップＳ２０７、及びステップＳ２１０における処理をより詳細に説明する。
図１３は、本実施形態における切り替え元の無線制御装置６の隣接セルリストを更新する処理（ステップＳ２０５）を示す図である。
図１３（ａ）は、切り替え元の無線制御装置６における隣接セルリストを更新する処理のフローチャートである。図１３（ｂ）は、無線制御装置６ＣのＲＲＨテーブル６１に記憶されている接続ＲＲＨ情報及び隣接ＲＲＨ情報の更新前と更新後とを示す図である。
【００６５】
無線制御装置６Ｃにおいて、隣接セルリスト更新部６４は、ＲＲＨテーブル６１に記憶されている隣接ＲＲＨ情報から、ＲＲＨ情報を生成する。隣接セルリスト更新部６４は、接続を切り替える対象のアンテナ装置３ｃを示す接続ＲＲＨ情報「ｃ」と、ＲＲＨ−ＩＤ「ｃ」に対応する隣接ＲＲＨ情報（ｂ−Ｂ，ｄ−Ｄ，ｇ−Ｃ）とを削除する（ステップＳ２１１）。
ここで、ＲＲＨ情報には、接続を切り替える対象のアンテナ装置３を示す情報（ＲＲＨ−ＩＤ）と、当該アンテナ装置３に対応する隣接ＲＲＨ情報とが含まれている。本例においては、接続を切り替えるアンテナ装置３を示す情報としてＲＲＨ−ＩＤ「ｃ」と、ＲＲＨ−ＩＤ「ｃ」に対応する隣接ＲＲＨ情報として「ｂ−Ｂ，ｄ−Ｄ，ｇ−Ｃ」とがＲＲＨ情報に含まれている。
【００６６】
隣接セルリスト更新部６４は、ＲＲＨテーブル６１に記憶されている隣接ＲＲＨ情報に、接続を切り替えるアンテナ装置３ｃが含まれている場合に、当該アンテナ装置３ｃと組み合わせられている無線制御装置６の識別子（ＲＣＵ−ＩＤ）を切り替え先の無線制御装置６Ｂの識別子に変更する。本例では、ＲＲＨ−ＩＤ「ｇ」に対応する隣接ＲＲＨ情報に、「ｃ−Ｃ」の組み合わせが含まれているので、当該組み合わせを「ｃ−Ｂ」に変更する（ステップＳ２１２）。
隣接セルリスト更新部６４は、更新後のＲＲＨテーブル６１に記憶されている隣接ＲＲＨ情報に基づいて、隣接セルテーブル６２に記憶されている隣接セルリストを更新する。本例では、隣接ＲＲＨ情報に含まれる無線制御装置６のＲＣＵ−ＩＤは「Ｂ」と「Ｅ」とであるので、隣接セルリスト更新部６４は「Ｂ，Ｅ」を更新後の隣接セルリストとして隣接セルテーブル６２に記憶させる（ステップＳ２１３）。
【００６７】
隣接セルリスト更新部６４は、ステップＳ２１１において生成したＲＲＨ情報を、接続を切り替えるアンテナ装置３の切り替え先の無線制御装置６に送信する（ステップＳ２１４）。ステップＳ２１４は、図１２のステップＳ２０６に対応する。
上述のステップＳ２１１からステップＳ２１３の処理により、切り替え元の無線制御装置６Ｃにおける隣接セルリストが図１３（ｂ）に示されているように更新される。
【００６８】
図１４は、本実施形態における切り替え先の無線制御装置６の隣接セルリストを更新する処理（ステップＳ２０７）を示す図である。
図１４（ａ）は、切り替え先の無線制御装置６における隣接セルリストを更新する処理のフローチャートである。図１４（ｂ）は、無線制御装置６ＢのＲＲＨテーブル６１に記憶されている接続ＲＲＨ情報及び隣接ＲＲＨ情報の更新前と更新後とを示す図である。
【００６９】
無線制御装置６Ｂにおいて、隣接セルリスト更新部６４は、接続を切り替えるアンテナ装置３ｃの切り替え元の無線制御装置６Ｃから、ＲＲＨ情報を受信すると（ステップＳ２２１）、受信したＲＲＨ情報に含まれるＲＲＨ−ＩＤ及び隣接ＲＲＨ情報を、ＲＲＨテーブル６１に記憶されている接続ＲＲＨ情報及び隣接ＲＲＨ情報に追加する（ステップＳ２２２）。
隣接セルリスト更新部６４は、受信したＲＲＨ情報に含まれるＲＲＨ−ＩＤがＲＲＨテーブル６１に記憶されている隣接ＲＲＨ情報に含まれている場合、当該ＲＲＨ−ＩＤと組み合わされているＲＣＵ−ＩＤを、切り替え先の無線制御装置６を示すＲＣＵ−ＩＤに変更する。本例では、ＲＲＨ−ＩＤ「ｂ」に対応する隣接ＲＲＨ情報に含まれている「ｃ−Ｃ」を「ｃ−Ｂ」に変更する（ステップＳ２２３）。
【００７０】
隣接セルリスト更新部６４は、更新後のＲＲＨテーブル６１に記憶されている隣接ＲＲＨ情報に基づいて、隣接セルテーブル６２に記憶されている隣接セルリストを更新する。本例では、隣接ＲＲＨ情報に含まれる無線制御装置６のＲＣＵ−ＩＤは「Ａ」、「Ｂ」、「Ｃ」及び「Ｄ」とであり、隣接セルリスト更新部６４は、自装置「Ｂ」を除いた「Ａ，Ｃ，Ｄ」を更新後の隣接セルリストとして隣接セルテーブル６２に記憶させる（ステップＳ２２４）。
上述のステップＳ２２１からステップＳ２２４の処理により、切り替え先の無線制御装置６Ｂにおける隣接セルリストが図１４（ｂ）に示されているように更新される。
【００７１】
図１５は、本実施形態における隣接セルリストの更新が必要となる無線制御装置６の隣接セルリストを更新する処理（ステップＳ２１０）を示す図である。
図１５（ａ）は、アンテナ装置３の切り替え先、及び切り替え元以外の無線制御装置６における隣接セルリストを更新する処理のフローチャートである。図１５（ｂ）は、無線制御装置６ＤのＲＲＨテーブル６１に記憶されている接続ＲＲＨ情報及び隣接ＲＲＨ情報の更新前と更新後とを示す図である。
【００７２】
無線制御装置６Ｄにおいて、隣接セルリスト更新部６４は、無線管理装置５から隣接セルリスト更新指示信号を受信すると（ステップＳ２３１）、受信した隣接セルリスト更新指示信号に基づいて、ＲＲＨテーブル６１に記憶されている隣接ＲＲＨ情報を更新する。本例では、隣接セルリスト更新指示信号が示す「アンテナ装置３ｃの接続先が無線制御装置６Ｂである」ことに基づいて、隣接ＲＲＨ情報に含まれるアンテナ装置３ｃと組み合わされている無線制御装置６のＲＣＵ−ＩＤを「Ｂ」に変更する（ステップＳ２３２）。
【００７３】
隣接セルリスト更新部６４は、更新後のＲＲＨテーブル６１に記憶されている隣接ＲＲＨ情報に基づいて、隣接セルテーブル６２に記憶されている隣接セルリストを更新する。本例では、隣接ＲＲＨ情報に含まれる無線制御装置６のＲＣＵ−ＩＤは「Ｂ」と「Ｅ」とであるので、隣接セルリスト更新部６４は「Ｂ，Ｅ」を更新後の隣接セルリストとして隣接セルテーブル６２に記憶させる（ステップＳ２３３）。
上述のステップＳ２３１からステップＳ２３３の処理により、切り替え元及び切り替え先以外の無線制御装置６Ｄにおける隣接セルリストが図１５（ｂ）に示されているように更新される。
【００７４】
図１６は、本実施形態においてアンテナ装置３ｃの接続先を無線制御装置６Ｃから無線制御装置６Ｂに切り替えた後のＲＣＵテーブル５２を示す図である。図１６と図１０とを比べると、接続ＲＲＨ情報のＲＲＨ−ＩＤ「ｃ」が無線制御装置６ＢのＲＣＵ−ＩＤ「Ｂ」に対応付けられ、ＲＲＨ−ＩＤ「ｃ」の隣接ＲＲＨ情報がＲＣＵ−ＩＤ「Ｂ」に対応付けられている。また、ＲＲＨ−ＩＤ「ｂ」の隣接ＲＲＨ情報と、ＲＲＨ−ＩＤ「ｇ」の隣接ＲＲＨ情報と、ＲＲＨ−ＩＤ「ｄ」の隣接ＲＲＨ情報とにおいて「ｃ−Ｃ」が「ｃ−Ｂ」に変更されている。
【００７５】
上述のように、無線制御装置６とアンテナ装置３との接続関係を動的に変更する移動通信システムにおいて、無線制御装置６は、アンテナ装置３の接続を切り替える切替指示信号を受信すると、ＲＲＨテーブル６１に記憶されている接続ＲＲＨ情報及び隣接ＲＲＨ情報に基づいて、隣接セルテーブル６２に記憶されている隣接セルリストを更新することができる。また、切替指示信号を受信した無線制御装置６は接続先を切り替えるアンテナ装置３に関する情報（ＲＲＨ情報）を無線管理装置５に送信する。無線管理装置５は、ＲＲＨ情報を受信すると、切替指示信号を受信しない無線制御装置６のうち、アンテナ装置３の接続を切り替えることにより隣接セルリストの更新が必要な無線制御装置６に対して、隣接セルリスト更新指示信号を送信する。隣接セルリスト更新指示信号を受信した無線制御装置６は、受信した隣接セルリスト更新指示信号に基づいて、ＲＲＨテーブル６１に記憶されている隣接ＲＲＨ情報を更新するとともに、隣接セルリストを更新することができる。
これにより、無線制御装置６とアンテナ装置３との接続を変更後に、移動端末における信号強度の測定を行わずとも隣接セルリストの更新を行うことができ、接続先の切り替えた直後に、隣接セルリストの更新を行うことができるので、接続先の切り替えと隣接セルリストの更新との間のタイムラグを短くすることができる。
また、無線制御装置６とアンテナ装置３との接続を変更後に、移動端末における信号強度の測定を行わずとも隣接セルリストの更新を行うことができ、アンテナ装置３と無線制御装置６との間の接続を切り替え、隣接セルリストを更新する際に生じるオーバヘッドを低減させることができる。
【００７６】
（第３実施形態）
図１７は、第３実施形態における無線管理装置７と無線制御装置８との構成を示す概略ブロック図である。なお、本実施形態における移動通信システムは、第１実施形態における移動通信システム１００が具備する無線管理装置１に替えて無線管理装置７を具備し、無線制御装置２に替えて無線制御装置８を具備している。また、同図において、第２実施形態における機能部と同じ機能部には同じ符号を付し、当該機能部についての説明を省略する。
【００７７】
同図に示されるように、無線管理装置７は、リソース割当部５１と、ＲＣＵテーブル５２と、ＲＣＵテーブル更新部７３とを備えている。ＲＣＵテーブル更新部７３は、リソース割当部５１が生成する切替指示信号に基づいて、ＲＣＵテーブル５２に記憶されている接続ＲＲＨ情報及び隣接ＲＲＨ情報を更新する。また、ＲＣＵテーブル更新部７３は、更新した接続ＲＲＨ情報及び隣接ＲＲＨ情報からＲＲＨ情報を生成し、生成したＲＲＨ情報と切替指示信号とを、切り替え先及び切り替え元の無線制御装置８に送信する。また、ＲＣＵテーブル更新部７３は、隣接セル更新指示信号を受信し、隣接ＲＲＨ情報を更新する。
【００７８】
無線制御装置８は、ＲＲＨテーブル６１と、隣接セルテーブル６２と、通信部６３と、隣接セルリスト更新部８４とを備えている。隣接セルリスト更新部８４は、無線管理装置７から受信する切替指示信号及びＲＲＨ情報に基づいて、ＲＲＨテーブル６１に記憶されている接続ＲＲＨ情報及び隣接ＲＲＨ情報を更新する。また、隣接セルリスト更新部８４は、他の無線制御装置８から受信する隣接セルリスト更新指示信号に基づいて、ＲＲＨテーブル６１に記憶されている隣接ＲＲＨ情報を更新する。また、隣接セルリスト更新部８４は、隣接ＲＲＨ情報の更新結果に応じて、隣接セルテーブル６２に記憶されている隣接セルリストを更新する。
【００７９】
以下、具体的な例を示して、各無線制御装置８に記憶されている隣接セルリストを更新する処理を説明する。ここでは、図５に示すように、無線制御装置８Ｃに接続されているアンテナ装置３ｃの接続先を無線制御装置８Ｂに切り替える場合における処理を例にして、無線管理装置７及び無線制御装置８の動作を説明する。すなわち、図１に示した接続関係を図５に示した接続関係に変更する場合における動作を説明する。
【００８０】
図１８は、本実施形態における隣接セルリストを更新する処理例を示すシーケンス図である。ここでは、第１実施形態における図６に示した例と同様に、無線制御装置８Ｃにおけるトラヒック量が予め定められた閾値以上となり、無線制御装置８Ｂにおけるトラヒック量が閾値以下であったため、無線制御装置８Ｃに接続されていたアンテナ装置３ｃを無線制御装置８Ｂに切り替える場合を例にして説明する。また、ＲＣＵテーブル５２に記憶されている接続ＲＲＨ情報及び隣接ＲＲＨ情報は、図１０に示した状態になっているものとする。
【００８１】
図１８に示されるように、各無線制御装置（ＲＣＵ）８Ａ〜８Ｅにおいて、通信部６３は、予め定められた周期ごとに定期的に、あるいは無線管理装置（ＲＭＵ）１が指定した時刻ごとに、各アンテナ装置３が移動端末と送受信するトラヒック情報を無線管理装置７に送信する（ステップＳ３０１）。
無線管理装置７において、リソース割当部５１は、各無線制御装置８から受信したトラヒック情報に基づいて、アンテナ装置３ｃの接続先を無線制御装置８Ｃから無線制御装置８Ｂに切り替える接続の変更を決定する（ステップＳ３０２）。
【００８２】
ＲＣＵテーブル更新部７３は、リソース割当部５１が決定した接続変更に基づいて、ＲＣＵテーブル５２に記憶されている接続ＲＲＨ情報及び隣接ＲＲＨ情報を更新する。具体的には、ＲＣＵテーブル更新部７３は、ＲＣＵテーブル５２において、切り替え対象のアンテナ装置３ｃを示すＲＲＨ−ＩＤ「ｃ」及び隣接ＲＲＨ情報「ｂ−Ｂ、ｄ−Ｄ，ｇ−Ｃ」と、切り替え元の無線制御装置８Ｃを示すＲＣＵ−ＩＤ「Ｃ」との対応を削除する。また、ＲＣＵテーブル更新部５３は、ＲＣＵテーブル５２において、切り替え対象のアンテナ装置３ｃを示すＲＲＨ−ＩＤ「ｃ」及び隣接ＲＲＨ情報「ｂ−Ｂ、ｄ−Ｄ，ｇ−Ｃ」を、切り替え先の無線制御装置８Ｂを示すＲＣＵ−ＩＤ「Ｂ」に対応付ける。更に、ＲＣＵテーブル更新部５３は、ＲＣＵテーブル５２に記憶されている隣接ＲＲＨ情報のうち、切り替え対象のアンテナ装置３ｃと組み合わされているＲＣＵ−ＩＤを、切り替え先の無線制御装置８Ｂを示すＲＣＵ−ＩＤ「Ｂ」に変更する。
ＲＣＵテーブル更新部７３は、切り替え対象のアンテナ装置３ｃを示す情報と、アンテナ装置３ｃに対応する隣接ＲＲＨ情報とを含むＲＲＨ情報を生成し（ステップＳ３０３）、生成したＲＲＨ情報及び切替指示信号を切り替え先及び切り替え元の無線制御装置８Ｂ、８Ｃに送信する（ステップＳ３０４）。
【００８３】
無線制御装置８Ｃにおいて、隣接セルリスト更新部８４は、受信した切替指示信号を通信部６３に出力し、通信部６３にアンテナ装置３ｃとの接続を切断させる。この後、無線制御装置８Ｂにおいて、隣接セルリスト更新部８４は、受信した切替指示信号を通信部６３に出力し、通信部６３にアンテナ装置３ｃとの接続をさせる（ステップＳ３０５）。
【００８４】
無線制御装置８Ｃにおいて、アンテナ装置３ｃの接続の切り替えが完了すると、隣接セルリスト更新部８４は、ＲＲＨテーブル６１に記憶されている接続ＲＲＨ情報から、アンテナ装置３ｃを示すＲＲＨ−ＩＤ「ｃ」と、アンテナ装置３ｃに対応する接続ＲＲＨ情報とを削除して更新を行い、更新結果に基づいて隣接セルテーブル６２に記憶されている隣接セルリストを更新する。この更新により、ＲＲＨテーブル６１は図１３（ｂ）に示されている状態となる。
また、無線制御装置８Ｂにおいて、アンテナ装置３ｃの接続の切り替えが完了すると、隣接セルリスト更新部８４は、ＲＲＨテーブル６１に記憶されている接続ＲＲＨ情報に、ＲＲＨ情報に含まれているＲＲＨ−ＩＤ「ｃ」を追加し、ＲＲＨテーブル６１に記憶されている隣接ＲＲＨ情報に、ＲＲＨ情報に含まれている隣接ＲＲＨ情報を追加する更新を来ない、更新結果に基づいて隣接セルテーブル６２に記憶されている隣接セルリストを更新する。この更新により、ＲＲＨテーブル６１は図１４（ｂ）に示されている状態となる（ステップＳ３０６）。
【００８５】
切り替え先である無線制御装置８Ｂにおいて、隣接セルリスト更新部８４は、更新後のＲＲＨテーブル６１の記憶されている隣接ＲＲＨ情報に基づいて、アンテナ装置３ｃの接続の切り替えに直接関与しないが、隣接セルリストの更新が必要となる無線制御装置８Ｄに、隣接セルリスト更新指示信号を送信する（ステップＳ３０７）。ステップＳ３０７における隣接セルリスト更新信号は、アンテナ装置３ｃが無線制御装置８Ｂに接続されていることを示す信号である。
【００８６】
無線制御装置８Ｄにおいて、隣接セルリスト更新部８４は、無線制御装置８Ｂから隣接セルリスト更新指示信号を受信すると、ＲＲＨテーブル６１に記憶されている隣接ＲＲＨ情報を更新する（ステップＳ３０８）。なお、ステップＳ３０８における隣接セルリストの更新は図１５に示した処理と同様に行う。
上述のステップＳ３０１からステップＳ３０８の処理により、アンテナ装置３の接続先の変更に伴う隣接セルリストの更新が行われる。
なお、ステップＳ３０７において、切り替え先の無線制御装置８Ｂが隣接セルリスト更新指示を無線制御装置８Ｄに送信する例を説明したが、切り替え元の無線制御装置８Ｃが隣接セルリスト更新指示信号を無線制御装置８Ｄに送信するようにしてもよい。
【００８７】
上述のように、無線制御装置８とアンテナ装置３との接続関係を動的に変更する移動通信システムにおいて、無線制御装置８は、アンテナ装置３の接続を切り替える切替指示信号及びＲＲＨ情報とを受信すると、ＲＲＨテーブル６１に記憶されている接続ＲＲＨ情報及び隣接ＲＲＨ情報を更新し、更新結果から隣接セルリストを更新することができる。また、切替指示信号を受信した無線制御装置８は、切替指示信号を受信しない無線制御装置８のうち、アンテナ装置３の接続を切り替えることにより隣接セルリストの更新が必要な無線制御装置８に対して、隣接セルリスト更新指示信号を送信する。隣接セルリスト更新指示信号を受信した無線制御装置８は、受信した隣接セルリスト更新指示信号に基づいて、ＲＲＨテーブル６１に記憶されている隣接ＲＲＨ情報を更新するとともに、隣接セルリストを更新することができる。
これにより、無線制御装置８とアンテナ装置３との接続を変更後に、移動端末における信号強度の測定を行わずとも隣接セルリストの更新を行うことができ、接続先の切り替えた直後に、隣接セルリストの更新を行うことができるので、接続先の切り替えと隣接セルリストの更新との間のタイムラグを短くすることができる。
また、無線制御装置８とアンテナ装置３との接続を変更後に、移動端末における信号強度の測定を行わずとも隣接セルリストの更新を行うことができ、アンテナ装置３と無線制御装置８との間の接続を切り替え、隣接セルリストを更新する際に生じるオーバヘッドを低減させることができる。
【００８８】
なお、第２及び第３実施形態において、ＲＣＵテーブル５２に接続ＲＲＨ情報及び隣接ＲＲＨ情報を記憶させる構成について説明したが、これに限ることなく、接続ＲＲＨ情報と隣接ＲＲＨ情報とを個別のテーブル（又は記憶部）に記憶させるようにしてもよい。
また、本発明における隣接アンテナ装置リストは上述の実施形態における隣接ＲＲＨリストに対応する。また、本発明における接続アンテナ装置リストは上述の実施形態における接続ＲＲＨリストに対応する。また、本発明における隣接アンテナ装置情報は上述の実施形態における隣接ＲＲＨ情報に対応する。また、本発明におけるテーブル更新部は、上述の実施形態におけるＲＣＵテーブル更新部に対応する。また、本発明における第１のテーブル部及び第２のテーブル部は、第１実施形態におけるＲＣＵテーブル及びＲＲＨテーブル、及び第２、第３実施形態におけるＲＣＵテーブルに対応する。
【００８９】
なお、本発明における無線管理装置１の機能を実現するためのプログラムをコンピュータ読み取り可能な記録媒体に記録して、この記録媒体に記録されたプログラムをコンピュータシステムに読み込ませ、実行することによりＲＣＵテーブル１１、ＲＲＨテーブル１２、リソース割当部１３、及びＲＣＵテーブル更新部１４が行う処理を行わせるようにしてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【符号の説明】
【００９１】
１，５，７…無線管理装置
２，２Ａ，２Ｂ，２Ｃ，２Ｄ，２Ｅ，６，６Ａ，６Ｂ，６Ｃ，６Ｄ，６Ｅ，８，８Ａ，８Ｂ，８Ｃ，８Ｄ，８Ｅ…無線制御装置
３，３ａ，３ｂ、３ｃ，３ｄ，３ｅ，３ｆ，３ｇ，３ｈ…アンテナ装置
１１，５２…ＲＣＵテーブル
１２，６１…ＲＲＨテーブル
１３，５１…リソース割当部
１４，５３，７３…ＲＣＵテーブル更新部
２１，６２…隣接セルテーブル
２２，６３…通信部
２３…隣接セルテーブル更新部
６４，８４…隣接セルリスト更新部
１００…移動通信システム
１０１…集約センター
１０２…パケットゲートウェイ
１０３…パケット・コア
【図１】
0005829474.tif 000002
【図２】
0005829474.tif 000003
【図３】
0005829474.tif 000004
【図４】
0005829474.tif 000005
【図５】
0005829474.tif 000006
【図６】
0005829474.tif 000007
【図７】
0005829474.tif 000008
【図８】
0005829474.tif 000009
【図９】
0005829474.tif 000010
【図１０】
0005829474.tif 000011
【図１１】
0005829474.tif 000012
【図１２】
0005829474.tif 000013
【図１３】
0005829474.tif 000014
【図１４】
0005829474.tif 000015
【図１５】
0005829474.tif 000016
【図１６】
0005829474.tif 000017
【図１７】
0005829474.tif 000018
【図１８】
0005829474.tif 000019